(57)【特許請求の範囲】
【請求項１】
１対のフード部の内、少なくとも一方が、ナット部材の回動によって前後方向に移動可能な移動フード部であるリール固定装置は、竿杆に対して固定される本体部と、前記ナット部材の内側空間に配設された金属製のばね部材とを具備し、前記ナット部材の内面には凹凸係合部を有し、前記ばね部材は、前記凹凸係合部と係脱可能なばね側係合部を有すると共に、前記本体部か又は該本体部に対して回転の拘束された他部材かである保持部材によって相対滑り可能に保持されており、前記ばね部材と保持部材の何れかの側の接触表面部を凹凸状にしたことを特徴とするリール固定装置の弛み防止装置。
【請求項２】
１対のフード部の内、少なくとも一方が、ナット部材の回動によって前後方向に移動可能な移動フード部であるリール固定装置は、竿杆に対して固定される本体部と、前記ナット部材の内側空間に配設された金属製のばね部材とを具備し、前記ナット部材の内面には凹凸係合部を有し、前記ばね部材は、前記凹凸係合部と係脱可能なばね側係合部を有すると共に、前記本体部か又は該本体部に対して回転の拘束された他部材かである保持部材との対向面同士が概ね面方向に相対移動可能に保持されており、前記ばね部材と保持部材の何れかの側の対向面部に回転部材を設けたことを特徴とするリール固定装置の弛み防止装置。
【請求項３】
１対のフード部の内、少なくとも一方が、ナット部材の回動によって前後方向に移動可能な移動フード部であるリール固定装置は、竿杆に対して固定される本体部と、前記ナット部材の内側空間に配設された金属製のばね部材とを具備し、前記ナット部材の内面には凹凸係合部を有し、前記ばね部材は、前記凹凸係合部と係脱可能なばね側係合部を有すると共に、前記本体部か又は該本体部に対して回転の拘束された他部材かである保持部材によって相対滑り可能に保持されており、前記ばね部材と保持部材の少なくとも何れかの側の接触表面部に、テフロン（商品名）部材を設けるか、母材よりも硬質の微小粒子を混合した固体又はグリース状の潤滑材を設けたことを特徴とするリール固定装置の弛み防止装置。
【発明の詳細な説明】
【０００１】
【発明の属する技術分野】
本発明は、リールを釣竿に緊締固定するリール固定装置の弛み防止装置に関する。
【０００２】
【従来の技術】
ナット部材によって移動フード部を移動させてリールの足を緊締固定するリール固定装置には、釣りにおいては様々な力が作用する。このため、移動フード部とナット部材が不用意に弛むことがある。これを防止すると共に、それでも弛んだ場合にクリック音が認識し易い構造が、本出願人による特開２０００−４１５４１号公報に開示されている。この中に、図５や図１６に横断面を示すタイプの構造がある。
【０００３】
【発明が解決しようとする課題】
然しながら、上記構造タイプの場合、ナット部材を回動させる際に、ナット部材内面の凹凸係合部と係合するばね部材が竿の中心を通る直径方向に進退移動するが、本体部に設けられた保持部となる１対の突出部の表面や、本体部に対して回転不能に設けられた環状部材の保持部となる１対の突出部の表面と接触するが、この表面の経時的な固着性、所謂、貼り付き現象によってばね部材が円滑に滑らず、ナット部材内面の凸部によって押し下げられた下方位置から、再び凹部に入り込むように上昇することができない場合が生ずる。
依って本発明は、ばね部材を円滑に作動させることのできるリール固定装置の弛み防止装置の提供を目的とする。
【０００４】
【課題を解決するための手段】
上記目的に鑑みて本発明は、１対のフード部の内、少なくとも一方が、ナット部材の回動によって前後方向に移動可能な移動フード部であるリール固定装置は、竿杆に対して固定される本体部と、前記ナット部材の内側空間に配設された金属製のばね部材とを具備し、前記ナット部材の内面には凹凸係合部を有し、前記ばね部材は、前記凹凸係合部と係脱可能なばね側係合部を有すると共に、前記本体部か又は該本体部に対して回転の拘束された他部材かである保持部材によって相対滑り可能に保持されており、前記ばね部材と保持部材の何れかの側の接触表面部を凹凸状にしたことを特徴とするリール固定装置の弛み防止装置を提供する。
接触表面部を凹凸状にすると、接触面積が小さくなり、経時的な固着性を低減して円滑な相対移動が可能となる。
【０００５】
請求項２では、１対のフード部の内、少なくとも一方が、ナット部材の回動によって前後方向に移動可能な移動フード部であるリール固定装置は、竿杆に対して固定される本体部と、前記ナット部材の内側空間に配設された金属製のばね部材とを具備し、前記ナット部材の内面には凹凸係合部を有し、前記ばね部材は、前記凹凸係合部と係脱可能なばね側係合部を有すると共に、前記本体部か又は該本体部に対して回転の拘束された他部材かである保持部材との対向面同士が概ね面方向に相対移動可能に保持されており、前記ばね部材と保持部材の何れかの側の対向面部に回転部材を設けたことを特徴とするリール固定装置の弛み防止装置を提供する。
回転部材を設ければ、転がり接触となり、経時的な固着性と摩擦力が低減され、円滑な作動となる。
【０００６】
請求項３では、１対のフード部の内、少なくとも一方が、ナット部材の回動によって前後方向に移動可能な移動フード部であるリール固定装置は、竿杆に対して固定される本体部と、前記ナット部材の内側空間に配設された金属製のばね部材とを具備し、前記ナット部材の内面には凹凸係合部を有し、前記ばね部材は、前記凹凸係合部と係脱可能なばね側係合部を有すると共に、前記本体部か又は該本体部に対して回転の拘束された他部材かである保持部材によって相対滑り可能に保持されており、前記ばね部材と保持部材の少なくとも何れかの側の接触表面部に、テフロン（商品名）部材を設けるか、母材よりも硬質の微小粒子を混合した固体又はグリース状の潤滑材を設けたことを特徴とするリール固定装置の弛み防止装置を提供する。
接触表面部にテフロンや潤滑材を設けているため、経時的な固着性と摩擦力が小さくなる他、潤滑材の場合は、母材よりも硬質の小粒子入りであるため、母材を擦り取ることを防止して耐久性を向上させる。
【０００７】
【発明の実施の形態】
以下、本発明を添付図面に示す実施形態例に基づき、更に詳細に説明する。
図１は本発明に係る弛み防止装置を有するリール固定装置を装着した釣竿の要部の部分破断図である。繊維強化樹脂製竿管１０の所定位置には、合成樹脂製等のリール固定装置本体部１２を接着等によって固定している。リールの足を受け入れる固定フード部１４を前記本体部１２と一体に形成しており、前後方向でこの固定フード部１４と対向する位置に移動フード部１６を配設している。
【０００８】
前記本体部１２の、移動フード部１６の配設位置近くの領域には雄ねじ部が設けられており、この雄ねじ部にはナット部材１８が螺合している。移動フード部１６は本体部１２の長手方向の溝（図示せず）に係合していて長手方向にのみ移動可能である他、ナット部材１８の端部とも係合しており、ナット部材の回動によって固定フード部に近づく方向と、その逆方向に、該ナット部材と共に移動する。１８Ａはコルク等の発泡性部材であり、釣り時の把持感を向上させている。また、１３はトリガーであり、ここでの釣竿はキャスティングロッドを図示している。
【０００９】
図２は図１の矢視線Ｂ−Ｂによる拡大横断面図であり、図３はある使用部品の図面である。本体部１２は竿中心ＣＬを中心にした管状に形成されており、これとナット部材１８との間には、環状部材２０と所定幅の金属製板状ばね部材２２が配設されている。ここでの板状ばね部材はステンレス部材で形成されている。環状部材は図３に示しており、（ｂ）は正面図、（ａ）は側面図、（ｃ）は矢視線Ｃ−Ｃによる断面図である。環状部材には所定幅の孔２０Ｈが設けられており、該孔とは径方向反対側に凸条２０Ｋが内側に向かって突出している。
【００１０】
前記本体部１２には前記凸条２０Ｋを受け入れる溝が設けられており、凸条がこの溝と係合することによって環状部材２０は回転が拘束されている。また、この環状部材の内側には、前記孔２０Ｈよりも凸条に近い位置（即ち、孔２０Ｈの中央位置から９０度よりも大きな角度離れた位置）であって、孔２０Ｈの中央位置と竿中心ＣＬを結ぶラインに対して対称な位置に、１対の突出部２０Ａ，２０Ｂが形成されている。
【００１１】
一方、板状ばね部材２２は、両端部が存在し、クローズされた環状ではないという意味の半環状であり、その中央部に、外方に向かって突出した突出部２２Ｔを有し、その中央位置が頂部２２Ｔ’であり、最も突出している。この突出部２２Ｔを、前記環状部材の孔２０Ｈに挿して、頂部２２Ｔ’と前記中心ＣＬとを結ぶ方向の径方向に進退移動できるが、孔２０Ｈの壁によって回転方向は拘束されている。他方、各端部を前記環状部材の突出部２０Ａ，２０Ｂに当接させる状態に組み付ける。
【００１２】
ナット部材１８の内面には３６０度に亘って凹凸係合部１８Ｋが設けられており、この凹部には前記ばね部材の頂部２２Ｔ’が侵入して係合できる。従って、ナット部材を少し回動させれば、凹部に位置しているばね部材の頂部は、該凹部の隣の凸部によって押し下げられる。従って、ばね部材の各端部近くの外側面は、これと対向している前記各突出部２０Ａ，２０Ｂの内側面上を滑って下降する。その後、ばね部材の頂部は凹凸係合部の前記凸部の隣の新たな凹部に侵入、係合する。即ち、ばね部材２２が前記突出部２０Ａ，２０Ｂから反力を受けつつ自らの復元弾性力によって上昇する。
【００１３】
ナット部材の回動に従って、これを繰り返す。その度にクリック音が発生し、リールの足を締結しつつある状態では節度感を生む。また、リール足を緊締固定した状態では、リールを介した種々の力によってナット部材が弛もうとする際に、凹凸係合部１８Ｋとばね部材の頂部２２Ｔ’との係合により、その弛みを防止し、それでも弛んだ際には、クリック音が発生して、弛みを容易に感知できることを狙った装置である。
【００１４】
ばね部材２２と突出部２０Ａ，２０Ｂとの固着性によって、ばね部材が円滑に滑らず、ナット部材内面の凸部によって押し下げられた下方位置から、凹部に入り込むように上昇することができない場合が生ずる。この固着性の低減の工夫を図４に示す。（ｂ）では、（ａ）のばね部材２０と突出部２０Ｂとの当接部位近くを更に拡大図示しており、互いに対向する、ばね部材の外側面２２Ｓと突出部の内側面２０ＢＳとの何れかを凹凸状に形成するが、ここでは環状部材が合成樹脂で形成されているため、ばね部材よりも柔らかく、経時的な固着性があるので、接触面積を小さくし、固着性を低減し、円滑な作動にするため、突出部の内側面２０ＢＳを凹凸状に形成している。他の突出部２０Ａ側も同様である。
【００１５】
図５は他の形態例を示しており、突出部２０Ｂのばね部材に対向する面２０ＢＳ側に、回転部材２４を設けており、これにばね部材の外側面２２Ｓが擦れると、回転し、摩擦抵抗が大きく低減される。この回転部材はばね部材側に設けてもよい。また、他の突出部２０Ａ側も同様である。
【００１６】
図６（ａ）は他の形態例を示しており、（ｂ）はその一部拡大であり、突出部２０Ｂのばね部材との対向面部に固体潤滑層２１を設けている。この固体潤滑層は、母材が合成樹脂材であり、この中に２硫化モリブデン粒子が多数混入している。この固体潤滑層に代わって、テフロンのコーティング層としてもよく、また、同様な粒子を多数混入させたグリース状の潤滑材を塗布してもよい。更には、コーティングするのではなく、少なくとも突出部の表面部側をテフロン材で形成してもよい。また、ばね部材側を同様に構成してもよく、更には、他の突出部２０Ａ側も同様であることは他の例と同様である。
【００１７】
【発明の効果】
以上の説明から明らかなように本発明によれば、ばね部材を円滑に作動させることのできるリール固定装置の弛み防止装置が提供可能となる。
【図面の簡単な説明】
【図１】図１は本発明に係る装置を有する釣竿の要部部分破断図である。
【図２】図２は図１の矢視線Ｂ−Ｂによる拡大横断面図である。
【図３】図３は図２の部位に組み込まれている環状部材の図である。
【図４】図４は図２の要部の第１形態例の図である。
【図５】図５は図２の要部の第２形態例の図である。
【図６】図６は図２の要部の第３形態例の図である。
【符号の説明】
１２                  リール固定装置本体部
１６                  移動フード部
１８                  ナット部材
１８Ｋ                凹凸係合部
２０                  環状部材（保持部材）
２２                  ばね部材
２２Ｔ’              頂部（ばね側係合部）
【図１】
0004270357.tif 000002
【図２】
0004270357.tif 000003
【図３】
0004270357.tif 000004
【図４】
0004270357.tif 000005
【図５】
0004270357.tif 000006
【図６】
0004270357.tif 000007